(57)【要約】【課題】撮影機能を制限するための制限信号の受信が遅れている間に撮影された画像に対して所定の制限を行うことができるようにする。【解決手段】撮像装置（１００）は、撮像を行う撮像手段と、撮影機能を制限するための制限信号を受信する第１の受信手段と、日時情報及び位置情報のうち、少なくとも１つの情報を受信する第２の受信手段と、前記第１の受信手段によって受信された制限信号と、前記第２の受信手段によって受信された日時情報及び位置情報の少なくとも一つとに基づいて、撮影制限条件を判定する撮影制限条件判定手段と、前記撮影制限条件判定手段の判定結果に基づいて撮影機能を制限する制御手段とを有する。【選択図】図１
2014200006.tif 000002
【特許請求の範囲】
【請求項１】
撮像を行う撮像手段と、
撮影機能を制限するための制限信号を受信する第１の受信手段と、
日時情報及び位置情報のうち、少なくとも１つの情報を受信する第２の受信手段と、
前記第１の受信手段によって受信された制限信号と、前記第２の受信手段によって受信された日時情報及び位置情報の少なくとも一つとに基づいて、撮影制限条件を判定する撮影制限条件判定手段と、
前記撮影制限条件判定手段の判定結果に基づいて撮影機能を制限する制御手段と
を有することを特徴とする撮像装置。
【請求項２】
前記撮影制限条件判定手段は、前記受信手段が日時情報を正常に受信した場合、位置情報を正しく受信できた場合に前記撮影制限条件を判定することを特徴とする請求項１に記載の撮像装置。
【請求項３】
外部装置と通信を行うための通信手段を有し、
前記通信手段は、前記撮像手段によって撮像された画像を前記外部装置に送信することを特徴とする請求項１または２に記載の撮像装置。
【請求項４】
前記撮像手段が撮像しようとしている空間方向に信号を送信する手段を有することを特徴とする請求項１から３のいずれか１項に記載の撮像装置。
【請求項５】
前記制御手段は、前記受信手段が撮影機能の制限信号を受信して、機能が制限されている間は、前記外部装置との通信を行えないようにすることを特徴とする請求項３または４に記載の撮像装置。
【請求項６】
撮像を行う撮像手段を有する撮像装置の制御方法であって、
撮影機能を制限するための制限信号を受信する第１の受信ステップと、
日時情報及び位置情報のうち、少なくとも１つの情報を受信する第２の受信ステップと、
前記第１の受信ステップにおいて受信された制限信号と、前記第２の受信ステップにおいて受信された日時情報及び位置情報の少なくとも一つとに基づいて、撮影制限条件を判定する撮影制限条件判定ステップと、
前記撮影制限条件判定ステップにおける判定結果に基づいて撮影機能を制限する制御ステップと
を有する制御方法。
【請求項７】
撮像を行う撮像手段を有する撮像装置の制御方法であって、
撮影機能を制限するための制限信号を受信する第１の受信ステップと、
日時情報及び位置情報のうち、少なくとも１つの情報を受信する第２の受信ステップと、
前記第１の受信ステップにおいて受信された制限信号と、前記第２の受信ステップにおいて受信された日時情報及び位置情報の少なくとも一つとに基づいて、撮影制限条件を判定する撮影制限条件判定ステップと、
前記撮影制限条件判定ステップにおける判定結果に基づいて撮影機能を制限する制御ステップと
を有する制御方法をコンピュータに実行させるためのプログラム。
【請求項８】
請求項７に記載のプログラムを記録したコンピュータ読み取り可能な記録媒体。
【発明の詳細な説明】
【技術分野】
【０００１】
本発明は、撮影機能を制限するための制限信号を受信した場合に、過去に撮影された画像に対しても所定の制限を施すことができる撮像装置等に関する。
【背景技術】
【０００２】
特許文献１には、撮影制限信号を受信した場合に、撮影機能を制限することが記載されている。また、特許文献１には、撮影制限信号の中に撮影禁止期間を情報として含め、撮影制限をする時間的な範囲を指定することが記載されている。特許文献１に記載の撮像装置によれば、撮影制限信号を受信すると、指定された時間的な範囲で、撮影に関する機能が禁止されることになる。
【先行技術文献】
【特許文献】
【０００３】
【特許文献１】特開２００５−２２９４９８号公報
【発明の概要】
【発明が解決しようとする課題】
【０００４】
しかしながら、特許文献１に記載の撮像装置では、撮影制限信号の受信が遅れた場合には、遅れた期間については、撮影機能を制限されることなく撮影が可能になってしまう。
【０００５】
前述のように、撮影制限信号の受信遅れにより、撮影機能を制限するタイミングが遅れると、本来、著作者の権利が守られるべき映画や美術品が無断に撮影されてしまうことになる。また、従来の撮像装置では、撮影機能が制限された場合に、当該制限を解除するための信号の受信が遅れた場合には、当該制限が解除されない可能性がある。
本発明は前述の問題点に鑑み、撮影機能を制限するための所定の制限信号の受信が遅れている間に撮影された画像に対して所定の制限を行うことができるようにすることを目的とする。
【課題を解決するための手段】
【０００６】
本発明に係る撮像装置は、撮像を行う撮像手段と、撮影機能を制限するための制限信号を受信する第１の受信手段と、日時情報及び位置情報のうち、少なくとも１つの情報を受信する第２の受信手段と、前記第１の受信手段によって受信された制限信号と、前記第２の受信手段によって受信された日時情報及び位置情報の少なくとも一つとに基づいて、撮影制限条件を判定する撮影制限条件判定手段と、前記撮影制限条件判定手段の判定結果に基づいて撮影機能を制限する制御手段とを有することを特徴とする。
本発明に係る制御方法は、撮像を行う撮像手段を有する撮像装置の制御方法であって、撮影機能を制限するための制限信号を受信する第１の受信ステップと、日時情報及び位置情報のうち、少なくとも１つの情報を受信する第２の受信ステップと、前記第１の受信ステップにおいて受信された制限信号と、前記第２の受信ステップにおいて受信された日時情報及び位置情報の少なくとも一つとに基づいて、撮影制限条件を判定する撮影制限条件判定ステップと、前記撮影制限条件判定ステップにおける判定結果に基づいて撮影機能を制限する制御ステップとを有する。
【発明の効果】
【０００７】
本発明によれば、撮影機能を制限するための所定の制限信号の受信が遅れている間に撮影された画像に対して所定の制限を行うことができる。
また、本発明によれば、撮影機能についての制限を解除するタイミングを明確にすることができるので、撮影機能についての制限が解除されないという問題にも対処することができる。
【図面の簡単な説明】
【０００８】
【図１】実施形態１における撮像装置及び外部制御装置に含まれる構成要素を説明するためのブロック図である。
【図２】撮影制限信号の一例を説明するための図である。
【図３】実施形態１における撮像装置１００の機能制限処理の一例を説明するためのフローチャートである。
【図４】過去にさかのぼって撮影制御を行う場合に行われる所定のファイル操作の一例を説明するためのフローチャートである。
【図５】所定のファイル操作の一例を説明するためのフローチャートである。
【図６】実施形態２における撮像装置及び外部制御装置に含まれる構成要素を説明するためのブロック図である。
【発明を実施するための形態】
【０００９】
［実施形態１］
図１は、本発明の実施形態１における撮像装置１００及び外部制御装置１１０に含まれる構成要素を説明するためのブロック図である。実施形態１では、撮像装置１００がデジタルカメラ又はデジタルビデオカメラとして動作する装置である場合を説明する。したがって、例えば、実施形態１における撮像装置１００は、カメラ付き携帯電話等であってもよい。
【００１０】
まず、図１を参照し、撮像装置１００に含まれる構成要素を説明する。
撮像装置１００は、図１に示すように、撮像部１２０、記録部１２２、受信部１２６、撮影制限条件判定部１３２、記憶部１３４、制御部１３６及び通信部１３８を有する。
撮像部１２０は、画像１８０の撮影を行う。記録部１２２は、撮像部１２０によって撮像された画像１８０を画像ファイルとして記録する記録媒体である。記録部１２２は、撮像装置１００から取り外し可能であってよい。受信部１２６は、撮影制限信号１８４を受信することができる。撮影制限条件判定部１３２は、撮影制限信号１８４に含まれる情報に基づいて、所定の機能を制御するか否かを判定する。記憶部１３４は、受信部１２６によって受信された撮影制限信号１８４を記憶する。制御部１３６は、マイクロコンピュータを用いて、撮像装置１００の動作を制御することができる。制御部１３６は、撮影制限条件判定部１３２の判定結果に基づいて、撮像装置１００の動作を制御することができる。通信部１３８は、パーソナルコンピュータ等の外部装置と通信することができる。
【００１１】
次に、図１を参照し、外部制御装置１１０に含まれる構成要素を説明する。
外部制御装置１１０は、図１に示すように、記憶部１６０、送信部１６４及び制御部１６６を有する。外部制御装置１１０は、例えば、ＩＣタグ、ＩＣカード又はＩＣチップとして動作することができる装置である。
記憶部１６０は、撮影制限信号１８４を記憶する。送信部１６４は、記憶部１６０に記憶されている撮影制限信号１８４を撮像装置１００に送信するように構成されている。制御部１６６は、マイクロコンピュータを用いて、外部制御装置１１０の動作を制御することができる。
【００１２】
図２に示す撮影制限信号１８４は、撮影制限フラグ情報、制限機能情報、開始日時情報、終了日時情報、位置情報、範囲情報、シリアルナンバー情報などを含む。撮影制限フラグ情報は、撮像装置１００に撮影制限を実行させるか、撮像装置１００に撮影制限を解除させるかを指定することができる。これにより、撮影制限信号１８４に用いて撮影制限の実行又は解除を行うことができる。制限機能情報には、撮影制限が実行された場合に制限される所定の機能を示す情報が含まれる。ここで、所定の機能は、撮影機能、ストロボ発光機能、高画質撮影機能、高感度撮影機能などのうちの少なくとも一つが含まれる。
【００１３】
開始日時情報及び終了日時情報は、撮影制限の時間的な範囲を指示するために用いられる。開始日時情報を用いることにより、撮影制限信号１８４の受信が遅れた場合に、過去にさかのぼり撮影制限を実行する場合に用いられる。終了日時情報は、撮影制限が解除されない問題を解消するために用いられる。ただし、正しい条件判定をするためには、開始日時情報及び終了日時情報の受信が所定の時間間隔で正常に行われることと、撮像装置１００内で保持している時刻が補正されていることとが前提となる。
【００１４】
位置情報及び範囲情報は、撮影制限の位置及び範囲を指示するために用いられる。位置情報及び範囲情報を用いることにより、撮影制限信号１８４の受信が遅れた場合に、過去にさかのぼり撮影制限を実行する場合に用いられる。ただし、正しい条件判定をするためには、位置情報及び範囲情報の受信が所定の時間間隔で正常に行われることと、撮像装置１００内で保持している位置情報及び範囲情報が補正されていることが前提となる。
【００１５】
シリアルナンバー情報は、撮像装置１００を識別するための情報を含み、シリアルナンバー情報が指定する撮像装置１００に撮影制限を実行させる場合に用いられる。撮影制限信号１８４に含まれる情報の変更は、制御部１６６がユーザからの指示に従って行う。
【００１６】
次に、実際の撮影における撮影制限の実行又は解除について説明する。
まず、実際の撮影における撮影制限の実行について説明する。
撮影制限信号１８４を受信していない場合は、撮像装置１００は通常どおり撮影を行うことができる。撮影制限が解除された場合にも、撮像装置１００は通常どおり撮影を行うことができる。
【００１７】
しかし、送信部１６４より送信された撮影制限信号１８４を受信部１２６で受信した場合には、撮影制限信号１８４は、記憶部１３４に格納される。撮影制限条件判定部１３２は、記憶部１３４から読み出された撮影制限信号１８４に含まれる情報に基づいて、撮影制限を行うか否かを判定する。この判定の結果、撮影制限を行う場合には、以後の撮影に関しては撮影制限信号１８４に基づき、所定の機能の実行が制限される。
【００１８】
次に、実際の撮影における撮影制限の解除について説明する。
終了日時情報は、終了日時情報が指定する終了日時を過ぎた場合に撮像装置１００に撮影制限を解除する処理を実行させるようにするための情報である。また、位置情報及び範囲情報は、制限された位置情報及び範囲情報が指定する位置及び範囲から撮像装置１００が外れた場合に撮像装置１００に撮影制限を解除するようにするための情報である。これにより、撮影制限が解除されてないという不具合を回避することができる。
【００１９】
次に、撮影制限の実行又は解除における所定の機能の実行の制限について説明する。
図３は、実施形態１における撮像装置１００の機能制限処理の一例を説明するためのフローチャートである。このフローチャートは、撮像装置１００のパワースイッチがＯＮされた際にスタートする。
【００２０】
Ｓ３１０において、受信部１２６は、撮影制限信号１８４の受信処理を行う。
Ｓ３２０において、制御部１３６は、受信部１２６が撮影制限信号１８４を受信した否かを判定する。受信部１２６が撮影制限信号１８４を受信した判定された場合はＳ３３０に進む。受信部１２６が撮影制限信号１８４を受信した判定されなかった場合はＳ３１０に戻る。
【００２１】
Ｓ３３０において、撮影制限条件判定部１３２は、撮影制限信号１８４に含まれる情報に基づいて、所定の機能を制限するための条件が満たされているか否かを判定する。その後、本フローチャートはＳ３４０に進む。
Ｓ３４０において、所定の機能を制限するための条件が満たされていると判定された場合はＳ３５０に進む。所定の機能を制限するための条件が満たされていないと判定された場合はＳ３６０に進む。なお、撮像装置１００のパワースイッチがＯＦＦにされた場合は、本フローチャートは終了する。
【００２２】
図３のフローチャートで説明した処理は基本的な処理であり、実際には種々の変形例が考えられる。例えば、動画撮影を行う場合、動画撮影を行いながら移動し、撮影制限信号１８４を受信することも考えられる。
【００２３】
このような場合も図３のフローチャートで説明した処理は行われるので、動画撮影中に所定の機能の制限を実行したり、所定の機能の制限を解除したりすることができる。動画撮影中に所定の機能の制限を実行する場合には、動画撮影を停止して、動画像ファイルを記録部１２２から削除するようにしてもよい。
【００２４】
別の変形例としては、動画撮影を停止するが、停止されるまでに撮影した動画像データについては、動画像ファイルとして記録部１２２に記録するようにしてもよい。
また、別の変形例としては、動画撮影は停止しないが、撮影制限が実行される直前までに撮影された動画像データを暗号化していない動画像ファイルとして記録部１２２に記録するようにしてもよい。そして、撮影制限が実行された後に撮影された動画像データを暗号化し、暗号化された画像ファイルとして記録部１２２に記録するようにしてもよい。この変形例においては、撮影制限が実行された後に撮影された画像データに所定の電子透かしデータを埋め込むようにしてもよい。
【００２５】
また、別の変形例としては、撮影制限条件判定部１３２は、記録部１２２にすでに記録されている動画像ファイルに含まれる情報と撮影制限信号１８４に含まれる情報とに基づいて、記録部１２２にすでに記録されている動画像ファイルが所定の条件を満たしているか否かを判定してよい。この変形例においては、記録部１２２にすでに記録されている動画像ファイルが所定の条件を満たしている場合、制御部１３６は、当該動画像ファイルを記録部１２２から削除する。
【００２６】
次に、過去にさかのぼって撮影制御を行う場合に行われる所定のファイル操作について説明する。
図４は、過去にさかのぼって撮影制御を行う場合に行われる所定のファイル操作の一例を説明するためのフローチャートである。このフローチャートは、撮影制限が実行された際にスタートする。
【００２７】
Ｓ４１０において、制御部１３６は、撮像装置１００が操作中であるかを判定する。撮像装置１００が操作中である場合はＳ４１０を繰り返す。撮像装置１００が操作中でない場合はＳ４２０に進む。
Ｓ４２０において、制御部１３６は、撮像装置１００を操作していないアイドル時間を計測し、その後、Ｓ４３０に進む。
Ｓ４３０において、制御部１３６は、Ｓ４２０で計測したアイドル時間が所定時間を越えているか判定する。Ｓ４２０で計測したアイドル時間が所定時間を越えている場合はＳ４４０に進む。Ｓ４２０で計測したアイドル時間が所定時間を越えていない場合はＳ４１０に進む。
【００２８】
Ｓ４４０において、制御部１３６は、過去に撮影された画像ファイルに対して所定のファイル操作を行う。例えば、撮影制限信号１８４に含まれる情報に基づいて判定された条件を満たす画像ファイルが記録部１２２に記録されている場合、制御部１３６は、当該画像ファイルを記録部１２２から削除する。
【００２９】
次に、Ｓ４４０で行われる所定のファイル操作の一例について説明する。
図５は、Ｓ４４０で行われる所定のファイル操作の一例を説明するためのフローチャートである。
Ｓ５１０において、制御部１３６は、撮影制限信号１８４に含まれる情報に基づいて判定された条件を満たす画像ファイルを、記録部１２２に記録されている画像ファイルの中から選択する。
【００３０】
Ｓ５２０において、制御部１３６は、Ｓ５１０で画像ファイルが選択されたか否かを判定する。Ｓ５１０で画像ファイルが選択された場合はＳ５３０に進み、Ｓ５１０で画像ファイルが選択されなかった場合は本フローチャートを終了する。
Ｓ５３０において、撮影制限条件判定部１３２は、受信部１２６が受信した撮影制限信号１８４に開始日時情報及び終了日時情報が含まれているか否かを判定する。撮影制限信号１８４に開始日時情報及び終了日時情報が含まれている場合はＳ５４０に進む。撮影制限信号１８４に開始日時情報及び終了日時情報が含まれていない場合は、別の画像ファイルを選択するためにＳ５１０に進む。
Ｓ５４０において、撮影制限条件判定部１３２は、現在の時刻が開始日時情報及び終了日時情報が示す時間的な範囲内にあるか否かを判定する処理を行う。その後、本フローチャートはＳ５５０へ進む。
【００３１】
Ｓ５５０において、撮影制限条件判定部１３２は、現在の時刻が開始日時情報及び終了日時情報が示す時間的な範囲内にある場合はＳ５６０に進む。現在の時刻が開始日時情報及び終了日時情報が示す時間的な範囲内にない場合は、別の画像ファイルを選択するためにＳ５１０に進む。
Ｓ５６０において、撮影制限条件判定部１３２は、受信部１２６が受信した撮影制限信号１８４に位置情報及び範囲情報が含まれているか否かを判定する。撮影制限信号１８４に位置情報及び範囲情報が含まれている場合はＳ５７０に進む。撮影制限信号１８４に位置情報及び範囲情報が含まれていない場合は、別の画像ファイルを選択するためにＳ５１０に進む。
Ｓ５７０において、撮影制限条件判定部１３２は、現在の撮像装置１００の位置が位置情報及び範囲情報が示す位置及び範囲内にあるか否かを判定する処理を行う。その後、本フローチャートはＳ５８０へ進む。
【００３２】
Ｓ５８０において、撮影制限条件判定部１３２は、撮像装置１００の現在の位置が位置情報及び範囲情報が示す位置及び範囲内にあるか否かを判定する。撮像装置１００の現在の位置が位置情報及び範囲情報が示す位置及び範囲内にある場合にはＳ５９０に進む。撮像装置１００の現在の位置が位置情報及び範囲情報が示す位置及び範囲内にない場合は、別の画像ファイルを選択するためにＳ５１０に進む。
Ｓ５９０において、制御部１３６は、Ｓ５１０で選択された画像ファイルに対して所定のファイル操作を行う。例えば、Ｓ５１０で選択された画像ファイルを記録部１２２から削除する。所定のファイル操作が行われた場合は、別の画像ファイルを選択するためにＳ５１０に進む。
【００３３】
実施形態１では、画像ファイルを記録部１２２から削除するが、これに限るものではない。例えば、画像ファイルが動画像ファイルである場合、単に動画像ファイルの全フレームを削除するのではなく、条件に一致しているフレームのみを削除し、その他のフレームは動画像ファイルとして残すようにしてもよい。また、条件に一致しているフレームは削除するのではなく暗号化処理し、その他のフレームは暗号化処理しないようにしてもよい。
【００３４】
また、画像ファイルを記録部１２２から削除するが、記録部１２２から削除するのではなく、画像データを暗号化処理するようにしてもよい。また、実施形態１では、開始日時情報及び、終了日時情報と位置情報及び範囲情報の両方の条件判定を行い、両方の条件に一致した場合のみファイル操作を行っているが、どちらか一方の条件に一致した場合にファイル操作を行う実施形態であっても構わない。これにより、撮影制限信号の受信が遅れた場合に過去にさかのぼって対処可能となる。
【００３５】
また、実施形態１では、例えば、撮影制限信号１８４を受信して撮影制限が実行された場合には、撮影後から所定時間が経過するまでの間、画像ファイルの通信部１３８から外部装置への転送を制限するようにしてもよい。また、実施形態１では、例えば、撮影制限信号１８４を受信して撮影制限が実行された場合には、撮影制限が解除されるまでの間、画像ファイルの通信部１３８から外部装置への転送を制限するようにしてもよい。また、実施形態１では、例えば、撮影制限信号１８４を受信して撮影制限が実行された場合には、撮影機能が制限されてから所定距離移動する間、画像ファイルの通信部１３８から外部装置への転送を制限するようにしてもよい。これにより、撮影制限が実行されているのにもかかわらず、撮像装置１００から外部装置に撮影画像が漏洩してしまう問題に対して対処することができる。
【００３６】
［実施形態２］
図６は、本発明の実施形態２における撮像装置６００及び外部制御装置６１０に含まれる構成要素を説明するためのブロック図である。実施形態２では、撮像装置６００がデジタルカメラ又はデジタルビデオカメラとして動作する装置である場合を説明する。したがって、例えば、実施形態２における撮像装置６００は、カメラ付き携帯電話等であってもよい。
【００３７】
また、実施形態２における外部制御装置６１０は、撮像装置６００が送信した撮影確認信号１８２を受信し、撮影制限信号１８４を送信するように構成されている。外部制御装置６１０は、例えば、ＩＣタグ、ＩＣカード又はＩＣチップとして動作することができる装置である。
【００３８】
以下では、図１と異なる構成について説明する。
実施形態２の撮像装置６００は、撮像装置１００と異なり、送信部１２４を有する。送信部１２４は、撮影可能か否かを確認するために、撮影しようとしている空間方向に向けて撮影確認信号１８２を送信することができる。実施形態２の外部制御装置６１０は、外部制御装置１１０と異なり、受信部１６２を有する。受信部１６２は、送信部１２４から送信された撮影確認信号１８２を受信することができる。制御部１６６は、受信部１６２が撮影確認信号１８２を受信したか否かを判定する。受信部１６２が撮影確認信号１８２を受信したと判定した場合、制御部１６６は、撮影制限信号１８４を撮像装置６００に送信するように送信部１６４を制御する。撮像装置６００が撮影制限信号１８４を受信した後の処理は、撮像装置１００が撮影制限信号１８４を受信した後の処理と同じであるので、その説明を省略する。
【００３９】
これにより、撮像装置６００が主体的に撮影制限条件を確認することが可能となり、撮影制限信号１８４の受信が遅れてしまう問題を解決することが可能となる。
【００４０】
［実施形態３］
実施形態１及び２で説明した様々な機能、処理及び方法は、パーソナルコンピュータ、マイクロコンピュータ、ＣＰＵ（Ｃｅｎｔｒａｌ  Ｐｒｏｃｅｓｓｉｎｇ  Ｕｎｉｔ）などがプログラムを用いて実現することもできる。以下、実施形態３では、パーソナルコンピュータ、マイクロコンピュータ、ＣＰＵなどを「コンピュータＸ」と呼ぶ。また、実施形態３では、コンピュータＸを制御するためのプログラムであって、実施形態１及び２で説明した様々な機能、処理及び方法を実現するためのプログラムを「プログラムＹ」と呼ぶ。
実施形態１及び２で説明した様々な機能、処理及び方法は、コンピュータＸがプログラムＹを実行することによって実現される。この場合において、プログラムＹは、コンピュータ読み取り可能な記憶媒体を介してコンピュータＸに供給される。実施形態３におけるコンピュータ読み取り可能な記憶媒体は、ハードディスク装置、光ディスク、ＣＤ−ＲＯＭ、ＣＤ−Ｒ、メモリカード、ＲＯＭ、ＲＡＭなどの少なくとも一つを含む。また、実施形態３におけるコンピュータ読み取り可能な記憶媒体は、ｎｏｎ−ｔｒａｎｓｉｔｏｒｙ（非一時的）な記憶媒体である。
【符号の説明】
【００４１】
１００  撮像装置、１１０  外部制御装置、１２０  撮像部、１２２  記録部、１２４  送信部、１２６  受信部、１３２  撮影制限条件判定部、１３４  記憶部、１３６  制御部、１３８  通信部、１６０  記憶部、１６２  受信部、１６４  送信部、１６６  制御部、１８０  画像、１８２  撮影確認信号、１８４  撮影制限信号
【図１】
2014200006.tif 000003
【図２】
2014200006.tif 000004
【図３】
2014200006.tif 000005
【図４】
2014200006.tif 000006
【図５】
2014200006.tif 000007
【図６】
2014200006.tif 000008